(57)【特許請求の範囲】
【請求項１】
活性媒体（１）を含む、第１および第２の共振器エンドミラー（３、４）によって両端部を閉じられた共振器と、ポンプエネルギー供給用電極とを備えるＣＯ２レーザーであって、
前記共振器が、前記第１および第２の共振器エンドミラー（３、４）の間で前記共振器エンドミラー（３、４）に対して垂直な方向に延びる共振器軸（１１）に沿って、高出力パワー部分と低出力パワーフィードバック部分（１４）とに分けられており、 
前記高出力パワー部分と前記低出力パワーフィードバック部分（１４）とが、前記共振器内で発生するレーザービーム（７）の一部をアウトカップリングするための偏光ビームスプリッタ（５、１７）によって互いに分離されており、
前記第１の共振器エンドミラー（３）と前記偏光ビームスプリッタ（５、１７）との間の前記高出力パワー部分には、前記活性媒体（１）及びλ／４位相器（２）が配置されており、
前記第２の共振器エンドミラー（４）と前記偏光ビームスプリッタ（５、１７）との間の前記低出力パワーフィードバック部分（１４）には、前記低出力パワーフィードバック部分（１４）を通過する光を変調することによりＣＯ２レーザーを変調する出力パワー変調器（１５）が配置されており、前記出力パワー変調器（１５）は、電気光学変調器、音響光学変調器、干渉レーザービーム変調器、急速回転チョッパーディスクのいずれかであり、
前記λ／４位相器（２）と前記偏光ビームスプリッタ（５、１７）とは、前記共振器軸（１１）または前記共振器軸（１１）に平行な回転軸に対して、互いに角度ψだけ回転可能であり、
前記共振器軸（１１）は、まっすぐな直線状、又は前記偏光ビームスプリッタ（５、１７）のところで折れ曲がった直線状のいずれかである、ＣＯ２レーザー。
【請求項２】
前記共振器（１４）内の前記活性媒体（１）が、０．２ｂａｒよりも少ない圧力を有している、及び／又は前記λ／４位相器（２）が、前記活性媒体（１）と前記第１の共振器エンドミラー（３）との間に配置されている、請求項１に記載のＣＯ２レーザー。
【請求項３】
前記共振器（１４）内の前記活性媒体（１）が、０．１ｂａｒよりも少ない圧力を有している、請求項２に記載のＣＯ２レーザー。
【請求項４】
前記第１および第２の共振器エンドミラー（３、４）が、９５％より大きい反射率を有している、請求項１〜３のうちいずれか一項に記載のＣＯ２レーザー。
【請求項５】
前記第１および第２の共振器エンドミラー（３、４）が、９９％より大きい反射率を有している、請求項４に記載のＣＯ２レーザー。
【請求項６】
前記λ／４位相器（２）がλ／４位相リターダミラー（１６）である、請求項１〜５のうちいずれか一項に記載のＣＯ２レーザー。
【請求項７】
前記λ／４位相器（２）が高出力パワーのためのλ／４位相リターダミラー（１６）である、請求項６に記載のＣＯ２レーザー。
【請求項８】
前記活性媒体（１）を通って前記偏光ビームスプリッタ（５、１７）の方向に進む前記ビーム（６）及び前記λ／４位相器（２）の方向に進む前記ビーム（４３）が、それぞれ直線偏光であり、互いに直交して偏光されているという条件のもとで角度ψを設定することができる、又は
前記活性媒体（１）を通って前記λ／４位相器（２）の方向に進む前記ビーム（４３）が直線偏光であり、前記活性媒体（１）を通って前記偏光ビームスプリッタ（５、１７）の方向に進む前記ビーム（６）が楕円偏光であり、前記楕円偏光の偏光状態がψによって特定されるという条件のもとで角度ψを設定することができる、請求項１〜７のうちいずれか一項に記載のＣＯ２レーザー。
【請求項９】
前記偏光ビームスプリッタ（５、１７）によって反射するビームが、アウトカップリングするビーム（７）として利用され、前記偏光ビームスプリッタ（５、１７）を透過するビームがフィードバックするビーム（８）として利用される、請求項８に記載のＣＯ２レーザー。
【請求項１０】
前記偏光ビームスプリッタ（５、１７）を透過するビームが、アウトカップリングするビーム（７）として利用され、前記偏光ビームスプリッタ（５、１７）によって反射するビームがフィードバックするビーム（８）として利用される、請求項１〜８のうちいずれか一項に記載のＣＯ２レーザー。
【請求項１１】
工作物用の工作物ホルダと、請求項１〜１０のうちいずれか一項に記載のＣＯ２レーザーとを備える材料加工装置であり、前記工作物が、前記工作物ホルダを用いることで前記レーザーのレーザー出口に対して位置決め可能であり、前記レーザー出口と前記工作物（３３）との間の光路内に、λ／４位相器（３４）が取り付けられて、前記レーザーから放出されるレーザービーム（３５）である直線偏光ビームが円偏光ビーム（３６）に変換され、前記工作物での反射又は拡散後、前記レーザーの方向に戻るビームの一部（３７）が、前記λ／４位相器（３４）を再度通過した後、再び直線偏光に、かつ放出されるレーザービーム（３５）に対しては直交する方向に偏光され、偏光されたビームの一部（３８）は、前記共振器内の前記活性媒体（１）に進入する前に、前記偏光ビームスプリッタ（５、１７）によって前記レーザービームの方向から方向転換され、吸収体（２６）によって消滅させられる、材料加工装置。
【請求項１２】
前記レーザー出口にλ／４位相器（３４）が直接取り付けられる、請求項１１に記載の材料加工装置。
【請求項１３】
工作物用の工作物ホルダと、請求項１〜１０のうちいずれか一項に記載のＣＯ２レーザー（３５）とを備える材料加工装置であり、前記工作物が、前記工作物ホルダを用いることで前記レーザーのレーザー出口に対して位置決め可能であり、前記レーザー出口と前記工作物（３３）との間の光路内に、第２の出力パワー変調器が組み込まれ、前記工作物（３３）の方向に進むビーム（５９）の出力パワーが、前記レーザー内の制御パラメータを変更することなく制御可能である、材料加工装置。
【請求項１４】
前記第２の出力パワー変調器は干渉レーザービーム変調器（５４）又は音響光学変調器（５７）である、請求項１３に記載の材料加工装置。
【発明の詳細な説明】
【背景技術】
【０００１】
レーザーを用いるさまざまな材料の精密加工には、非常に多くの適用ケースにおいてパルス放射線が使用される。このことは、通常のあらゆる材料加工レーザーに等しく当てはまる。適用ケースとしては、例えば、金属、セラミック、プラスチックなどの切断、穴あけ及び材料除去などがある。
【０００２】
今日の固体レーザーシステム（ダイオード励起Ｎｄ：ＹＡＧレーザー、ディスクレーザー、ファイバーレーザー、チタン：サファイアレーザーなど）は、幅広い可変発振性（１００ｆｓからｐｓ及びｎｓを介してμｓ領域まで）を特徴とするが、経費の面及びとくに工業における長い使用経験という面で、ＣＯ２レーザーにははるかに及ばない。しかし、材料加工に適し、市販で入手可能なあらゆる従来型ＣＯ２レーザーの主な原理的欠点は、急速出力制御が制限されていることであり、これに関連して発振性も制限されている。とりわけ、これらの制限が加えられるのは、例えばｋＷ領域のｃｗ出力を備えるＣＯ２高出力レーザーにおいて、できる限り効率的にこの出力をパルス放射線に変換したい場合である。すなわち、ほとんどＱスイッチのような特性を有するパルス、つまりパルス長さがｎｓ及びμｓ領域にあるｃｗ出力に対して少なくとも係数１０で出力が増加するパルスによって、高い平均出力でパルス放射線が発振される市販のＣＯ２レーザーはなく、さらに、ほとんどのＣＯ２レーザーで一般的な、比較的良好なビーム品質（最低０．６）はほぼそのまま維持し、潜在的に使用可能な出力（ｃｗ）を効率的にパルスシステムの平均出力に変換できるという要求事項も達成しなければならない。
【０００３】
そのようなＣＯ２レーザーを備える材料加工装置の装備は、以下のような多くの点で大幅な技術的進歩をもたらすであろう：
ａ）ＣＯ２レーザーによって実現されていた従来の作業をさらに効率的に実施することができる。
ｂ）これまで別の種類のレーザーに任されていた多数の用途（銅、アルミニウムの精密な穴あけもしくは切断、及び特殊なパルスパラメータで加工されるその他の金属（たとえばチタンが挙げられる）の精密な穴あけもしくは切断）、あるいはまったく新しい作業を、そのようなＣＯ２レーザーで実施することができる。
ｃ）現在の技術水準においてはさまざまな種類のレーザーで行われるであろう多種多様な課題を処理できると考えられるため、装置の柔軟性が非常に高まるであろう。ここでは、精密な穴、難しい切断形状などを備える複雑な構成部品の製造における全体の効率という点も、再度言及することができる。同様に、例えば金属からセラミックへの変更など、材料の迅速な変更が可能であることも重要である。
【０００４】
まとめると、従来技術は以下のように特徴づけることができる。
【０００５】
活性媒体の非常に良好な保存特性により、ＣＯ２レーザーは、係数１００以上で出力が上昇する多種多様なＱスイッチに適している。そのため、急速に進歩した最初の２０年ですでに、単純な回転鏡と、電気光学及び音響光学変調とを用いたアクティブなＱスイッチから、ＳＦ６及びＣＯ２ＴＥＡレーザー（非特許文献１を参照）のモードロッキングを用いたパッシブなＱスイッチに至るまで、数々のバリエーションが研究されてきた。包括的な概要が、例えば非特許文献２に記載されている。この事実から、材料加工用のＣＯ２レーザーでは、これらの方法のいずれも、幅広い実用化には至らなかったことは一見奇異なことに見える。これらの方法は、レーザー制御核融合を研究するための巨大な施設に至るまで基礎研究の興味深い対象には残っているが、産業への適用という点では特定の分野にしか用いられていない。
【０００６】
これとは逆に、単純だが確実に機能し、かつ費用のかからない、気体放電によるＣＯ２レーザーの発振方法は広く認められてきた。この方法は、発生するパルスの出力増加が低いこと、パルス持続時間が比較的大きいこと、及びパルス繰返し周波数が低いことといった重大な弱点があるにもかかわらず、実際にすべての材料加工レーザーに用いられている。その結果、多数の用途にとって重要な短パルス領域（μｓ以下）は、ほとんど上述の固体レーザーシステムだけで占められている。その原因は、活性媒体の増強特性にあるのではなく、むしろ波長にある。視認でき、かつ赤外線に近い１μｍ周辺のレーザーには、多数の光学材料、例えば結晶またはガラスなどが極めて適しており、これらの材料は、とくに吸収性が低いこと、放射線負荷容量が高いこと、電気光学定数及び弾性光学的定数が高く、加工及びコーティングが極めて容易であることを特徴とし、一方、１０μｍ周辺の波長では、とくに、実質的にＣｄＴｅに限定されている電気光学効果といった特殊な特性や、あるいはＧｅだけが望ましい形で備えている良好な音響光学特性が問題となる場合、材料スペクトルが著しく制限されている。基本的な問題は、放射線負荷容量が限定されていることであるが、このことが意味しているのは、強度が高すぎることによる構成部品の損傷ではなく、すでに破壊限界のかなり以前から生じている、これらの材料の比較的高いｄｎ／ｄＴ（温度変化ごとの屈折率変化）に関係する光学作用であり、これらの作用は、波面の変形を引き起こし、とくにレーザー共振器の範囲内でこれらの材料を使用する場合、例えばＱスイッチなどでは、光学作用によってレーザーのビーム品質が出力に大きく左右される結果となるため、許容できない。
【０００７】
干渉アウトカップリングエレメントによるアウトカップリング変調は、強い放射線パルスにおいて、潜在的に使用可能なＣＯ２レーザーの出力を最適に変換するための有望なアプローチを提供した（非特許文献３及び特許文献１）。しかし、ここでも、重要な構成部品である干渉アウトカップリングエレメントの出力感受性が原因で、産業に適した、より高い平均出力領域への変換に失敗している。
【０００８】
実用化のメリットが大きいことから、最適に発振するＣＯ２レーザーの実現は、いわゆるレーザー開発の重要な目標であり、そのため、ここ１０年の間に再びこの問題に関する特許文献が発表されてきている。特許文献２では、例えば、電気光学ＣｄＴｅ‐Ｑスイッチを用いた材料加工用パルスＣＯ２レーザーを説明している。効率的な材料加工でとくに重要となる高い平均レーザー出力において、Ｑスイッチの放射線被ばくをできるだけ低くするという基本的問題に対しては、この特許文献にその解決方法は示されていない。
【０００９】
同じ出願人による特許文献３でも状況は同じである。ここでは、特殊な出力アウトカップリングの原理、すなわちキャビティダンピングによるＣｄＴｅ変調器を用いた電気光学Ｑスイッチの原理が用いられている。ここでの目標は、パルス繰返し周波数が非常に高いと同時に、レーザーのｃｗ出力に対して、パルスピーク出力ができるだけ大きく増加するパルス列を達成することである。放射線被ばくの問題は、ここでも解決されていない。
【００１０】
ＣｄＴｅに比べ大幅に改善されたGeの光学特性により、Ｇｅベースの音響光学変調器を用いたＣＯ２レーザーのＱスイッチにも関心が向けられている。特許文献４では、そのようなレーザーが開示されている。この特許文献では、良好なビーム品質と同時に高い平均出力を実現するための共振器設計における特別な対策は示されていない。
【先行技術文献】
【特許文献】
【００１１】
【特許文献１】旧東ドイツ特許ＷＰＨ０１Ｓ／２８６０７２５号明細書（１９８６年）“Ａｎｏｒｄｎｕｎｇ  ｚｕｒ  Ｗｅｌｌｅｎｌａｅｎｇｅｎｓｅｌｅｋｔｉｏｎ  ｕｎｄ  ｉｎｔｅｒｎｅｎ  Ｌｅｉｓｔｕｎｇｓｍｏｄｕｌａｔｉｏｎ  ｄｅｒ  Ｓｔｒａｈｌｕｎｇ  ｖｏｎ  Ｈｏｃｈｌｅｉｓｔｕｎｇｓ−ＣＯ２−Ｌａｓｅｒｎ”
【特許文献２】米国特許第６，８２６，２０４号明細書
【特許文献３】米国特許第７，０５８，０９３号明細書
【特許文献４】独国特許第１１２００８００１３３８Ｔ５号明細書
【非特許文献】
【００１２】
【非特許文献１】Ｗ．Ｊ．Ｗｉｔｔｅｍａｎ，”Ｔｈｅ  ＣＯ２  Ｌａｓｅｒ”，Ｓｐｒｉｎｇｅｒ−Ｖｅｒｌａｇ（１９８７）
【非特許文献２】ＳＰＩＥ  Ｍｉｌｅｓｔｏｎｅ  Ｓｅｒｉｅｓ  Ｖｏｌ．ＭＳ２２，“Ｓｅｌｅｃｔｅｄ  Ｐａｐｅｒｓ  ｏｎ  ＣＯ２  Ｌａｓｅｒｓ”，ｅｄ．ｂｙ  Ｊａｍｅｓ  Ｄ．Ｅｖａｎｓ，ＳＰＩＥ（１９９０）
【非特許文献３】Ｓｃｈｉｎｄｌｅｒ，Ｋ；  Ｓｔａｕｐｅｎｄａｈｌ，Ｇ：“Ｅｉｎ  ｎｅｕａｒｔｉｇｅｒ  ＣＯ２−Ｉｍｐｕｌｓｌａｓｅｒ  ｆｕｅｒ  ｄｉｅ  Ｍａｔｅｒｉａｌｂｅａｒｂｅｉｔｕｎｇ”，Ｊａｈｒｂｕｃｈ  ＬＡＳＥＲ（３．Ａｕｓｇａｂｅ），Ｈｒｓｇ．Ｈ．Ｋｏｈｌｅｒ，Ｖｕｌｋａｎ−Ｖｅｒｌａｇ（１９９３），Ｓ．９−１４
【発明の概要】
【発明が解決しようとする課題】
【００１３】
本発明に基づく構成では、従来型構造のＣＯ２レーザー、具体的には軸方向にゆっくりと又は急速に流れる軸流システムであり、しかしまた静的にガスが充填されているシステムといった、材料加工に使用されるレーザーを、迅速な出力制御、とくに放射線パルス生成のまったく新しい可能性が得られるように変更することが目的であり、これらのレーザーは、非常に広いパラメータ範囲を特徴とし、とりわけ、１つはｎｓ領域以下の時間制御、もう１つはパルスピーク出力が１００ｋＷ規模までに達し、平均出力がｋＷ領域にまで達する出力範囲を特徴としている。
【課題を解決するための手段】
【００１４】
この課題は、請求項の対象によって解決される。
【００１５】
請求項の中で、直線的もしくは折れ曲がった共振器軸の経路について言及される場合、これは、レーザーの長手方向への形状的な中心線に関する。このことを光路と取り違えてはならない。というのも、偏光ビームスプリッタを通るビームは、スプリッタの２つの主要面がビームに対して正確に直角な場合にしか折れ曲がれないからである。（通過する）ビームに対して偏光ビームスプリッタが傾斜している場合、ビームは二重に折れ曲がり、このとき、両方の面（出口又は入口）におけるビームの流れは互いに平行である。
【００１６】
実施形態にはさまざまな可能性があり、以下に、制限のない変更形態としてこれらを詳細に説明する。技術的に有効であるように組合せ可能な特徴の幾つか又はすべては、互いに組み合わせることができる。
【００１７】
本発明は、また、最大０．１ｂａｒの低もしくは中程度の圧力範囲にある活性媒体を備えるＣＯ２レーザーによっても解決されるため、相応のポンプエネルギーの供給によるｃｗモードが可能であり、また、このＣＯ２レーザーは、活性媒体の一方の端部にある高反射エンドミラー及び他方の端部にあるアウトカップリングエレメントを特徴とする従来のＣＯ２レーザー共振器に対して、変更された共振器を備えており、この共振器は、活性媒体の一方の端部と、好ましくは反射率が９９％よりも高い第１の共振器エンドミラーとの間にλ／４移相器が配置され、活性媒体の他方の端部と、好ましくは同様に反射率が９９％よりも高い第２の共振器エンドミラーとの間に偏光ビームスプリッタが配置されていることを特徴とし、この偏光ビームスプリッタは、任意の偏光を有する、活性媒体の方向からスプリッタに当たるビームを、直線偏光された、アウトカップリングする出力ＰＡのビームと、同様に直線だが、アウトカップリングするビームの偏光に対して垂直に偏光する、出力ＰＲのフィードバックするビームとに分割し、λ／４移相器又は偏光ビームスプリッタ又はその両方は、共振器軸を中心に回転可能に支持されているため、共振器軸に対して垂直なλ／４移相器の特徴軸と、同様に共振器軸に対して垂直な偏光ビームスプリッタの特徴軸との間の自由に選択可能な角度ψを設定することにより、任意の望ましい出力比ＰＡ／ＰＲを設定することができ、偏光ビームスプリッタと、共振器のフィードバック経路内にある第２の共振器エンドミラーとの間には、ビーム形成エレメント、具体的には急速出力変調及び波長選択のためのエレメント、ならびに特殊開口部を配置することができる。
【００１８】
活性媒体は、第１の共振器エンドミラーと偏心ビームスプリッタとの間の範囲でのみ調整することができる。この範囲は、気密性のある壁によって、レーザーのその他の範囲及び周辺環境から密閉されている（必要に応じて取り付けられるガス供給ライン及び／又はガス排出ラインは例外）。
【００１９】
電極は、通常、電気的電極である。
【００２０】
偏光ビームスプリッタはＺｎＳｅベースの薄膜偏光子であってよく、これは、共振器軸１１に対してブリュースター角αＢで配置されている。
【００２１】
共振器のフィードバック部分には、（好ましくは急速）出力変調エレメント、好ましくは電気光学もしくは音響光学変調器、干渉レーザービーム変調器、機械式チョッパー又は（好ましくは急速）傾斜ミラーを配置することができる。
【００２２】
共振器のフィードバック部分には、電気光学変調器ならびにこの変調器と偏光ビームスプリッタとの間に、ビーム径Ｄを電気光学変調器の自由開口部ｄに適合するための望遠鏡、好ましくはガリレオ型望遠鏡を配置することができ、Ｄ／ｄ比が、好ましくは１．２〜５の範囲にあり、フィードバックするビームであって、λ／４波長電圧が電気光学変調器に加わると、その偏光が９０°回転するビームを吸収体（２６）が吸収し、このビームは偏光ビームスプリッタによって共振器光路から外へ方向を変えられる。
【００２３】
共振器のフィードバック部分には、音響光学変調器ならびにこの変調器と偏光ビームスプリッタとの間に、ビーム径Ｄを音響光学変調器の自由開口部ｄに適合するための望遠鏡、好ましくはガリレオ型望遠鏡を配置することができ、Ｄ／ｄ比が、好ましくは１．２〜５の範囲にあり、接触電圧が音響光学変調器に加わると、共振器光路から外へ回折するビーム部分を２つの吸収体が吸収する。
【００２４】
接触電圧が音響光学変調器に加わると回折するビームは、第２の共振器エンドミラーによって反射し、フィードバックするビームとして利用され、回折しなかったビーム部分は吸収体によって消滅し、望遠鏡と音響光学変調器との間には、選択的に、最適なビーム品質を確保するための特殊開口部が取り付けられている。
【００２５】
共振器のフィードバック部分では、第１に、干渉レーザービーム変調器を、この変調器の光軸がフィードバックするビームの方向に対して小さな角度εを成すように配置して、この変調器によって反射した放射線部分が共振器光路から外へ方向を変え、吸収体によって吸収されるようにすることができ、第２に、波長選択エレメントが、レーザーの機能を正確に１つの波長に固定する。
【００２６】
共振器のフィードバック部分では、選択的に、プリズム、好ましくはＺｎＳｅ又はＮａＣｌから成るダブルブリュースタープリズム、または干渉フィルタを波長選択エレメントとして使用することができる。
【００２７】
共振器のフィードバック部分には、中間焦点を備えるケプラー型望遠鏡があってもよく、駆動エレメントを備えるチョッパーディスクを配置して、フィードバックするビームが、ちょうどこの中間焦点において、チョッパーディスクにより遮断又は開放されるようにすることができる。
【００２８】
第２の共振器エンドミラーは、好ましくは急速傾斜ミラーであってよく、この傾斜ミラーと偏光ビームスプリッタとの間には、選択的に、ビーム径Ｄを急速傾斜ミラーの自由開口部ｄに適合させるための、好ましくはガリレオ型望遠鏡を配置することができ、Ｄ／ｄ比は１．２〜１０の範囲にあるのが好ましい。
【００２９】
選択的に使用される、出力変調エレメントの自由開口部ｄにビーム径Ｄを適合させるためのエレメントは、レンズ仕様がガリレオ型もしくはケプラー型望遠鏡、又はミラー仕様がガリレオ型もしくはケプラー型望遠鏡、又は第２の共振器エンドミラーに適合する湾曲を備える集光レンズもしくは集光ミラーから成る組合せのいずれかであってもよい。
【００３０】
選択的に使用可能な波長選択エレメントによって、固定されているが自由に選択可能な、ＣＯ２レーザーの回転‐振動スペクトルライン上で、９μｍ＜λ＜１１μｍの範囲内で作動するようにレーザーを強制することができ、レーザーのその他の光学エレメント、具体的にはλ／４移相器及び偏光ビームスプリッタの特性は、この選択されたラインに適合している。
【００３１】
列挙したすべての光学エレメントは、共通の真空気密性のハウジングの中に収容することができ、アウトカップリングするビームは、透光性材料、好ましくはＺｎＳｅから窓を介してレーザーを離れる。
【００３２】
本発明に基づく材料加工装置の場合、レーザー出口と工作物との間の光路には、透過ビームが、出力制御されたビームとして工作物の方向に進み、反射したビームは、選択的に、消滅させるため又はオンライン測定のために吸収体／検出器に供給されるという条件付きで、干渉レーザービーム変調器を組み込むことができる。レーザー出口と工作物との間の光路には、回折したビームが出力制御されたビームとして工作物（３３）の方向に進み、一方、回折しなかったビームは、選択的に、消滅させるため又はオンライン測定のために吸収体／検出器に供給されるという条件付きで、音響光学変調器を組み込むことができ、選択的に、偏光ビームスプリッタと音響光学変調器との間には、ビーム形成エレメント、例えば望遠鏡及び／又は特殊開口部などがオプションで配置されている。
【００３３】
本発明に基づく解決方法の基本的考え方は、システムの一方の端部に１００％ミラーを備え、他方の端部にアウトカップリングエレメントを備えるレーザー共振器の一般に使用されている基本構造を変更して、この共振器が、とくに活性媒体及び特殊なアウトカップリングエレメントによって形成される高出力部分と、とくに急速出力制御エレメントを含む低出力のフィードバック部分に分割されるようにすることである。高出力部分と低出力部分との出力比は、この場合、以下に説明するシステムの変更形態によって広い範囲で変更することができるため、非常に高い出力の制御にも、そのうちのほんの僅かな部分、例えば１０％しか必要ではない。従って、ＣＯ２レーザー用ではあるが、比較的出力に敏感な変調器システム、例えば音響光学変調器、電気光学変調器又は干渉レーザービーム変調器などすべての変調器を、急速出力制御のために、具体的には効率的なＱスイッチのために使用することができる。
【００３４】
次に、本発明に基づく新しい種類の共振器を詳しく説明する（図１も参照）。
【００３５】
共振器を高出力部分と低出力フィードバック部分とに分割するための中心エレメントは、偏光ビームスプリッタである。ＣＯ２レーザーの場合、そのために、ＺｎＳｅベースの薄膜偏光子（ＴＦＰ）を用いることができる。これは、ブリュースター角αＢを成してＴＦＰが光路の中に置かれ、特殊コーティングにより、入射する出力Ｐ０のビームが分割され、ＴＦＰの入射面に対して平行に偏光される出力部分Ｐｐが完全に透過され、入射面に対して垂直に偏光される出力部分Ｐｓはすべて反射されるようになっていることを特徴とする。つまり、数式
Ｐ０＝Ｐｐ＋Ｐｓ 
が該当する。このとき、例えばＴＦＰ内の吸収による損失は無視されている。
【００３６】
ＴＦＰは、例えば、通常のアウトカップリングミラーの代わりに置かれ、本発明に基づくレーザーにおいてもアウトカップリングエレメントとして用いられ、従って、ＴＦＰで反射するビーム又は透過ビームのどちらかがアウトカップリングされ、共振器を離れる。もう一方のそれぞれの部分ビームは、共振器フィードバックのために利用され、このことは、例えば、ビームを正確に元に戻す調整可能な１００％ミラーによって達成することができる。このミラーとＴＦＰとの間の光路が前述の低出力フィードバック部分を形成し、この部分に、レーザーの出力制御のための任意のエレメントを配置することができる。
【００３７】
本発明の第２の中心的考え方は、どのようにして出力比Ｐｐ／Ｐｓをできる限りフレキシブルに調整できるようにするかという問題であり、これにより、それぞれ本発明に従って変更されたレーザーは、その基本特性、具体的にはレーザー出力、レーザー活性媒体の増幅率に応じて、及び達成しなければならない新しいパラメータ、具体的には特殊なパルスパラメータがそれぞれ目指す目標に応じて最適に調整可能となる。このことは、レーザー内で生成される放射線の偏光特性の適切な影響により、共振器の「もう一方の端部」で、約１００％の反射率をもつエンドミラーの前に、1回の通過ごとにλ／４の位相差をもつコンポーネントを配置することによって達成される。高出力ＣＯ２レーザーのためには、この場合、レーザー材料加工において定評のあるλ／４移相リターダミラー（ＰＲＳ）が使用される。該当する幾何学的配置では、このコンポーネントは、通過後に、直線偏光放射線を円偏光放射線に変換する。円偏光放射線は第１のエンドミラーＳ１で反射し、λ／４移相器を２回通過すると、この円偏光放射線は再び直線偏光放射線に変換されるが、元の方向に対して９０°回転している。
【００３８】
ＴＦＰ及びλ／４移相器の説明した特性と、共振器における本発明に基づくそれらの配置により、以下で詳しく論じられるレーザー機能の一連の新しいオプションが可能となる。
【００３９】
１．継続的に作動する、疑似軸モードフリーレーザー
まず、ＴＦＰについて考察する。任意に偏光されたビームは、共振器内部から、すなわち活性媒体の方向から出てＴＦＰ上に達すると仮定する。ここで、すでに説明したように、透過ビームと反射ビームとに分割が行われ、これらの２つのビームは、互いに直線偏光及び垂直偏光されている。原則的に、これらの２つのビームのいずれかがレーザービームとしてアウトカップリングされ、もう一方はフィードバックビームとして利用される。とくに、市販されているＺｎＳｅベースＴＦＰの特性には、実施例の中でさらに詳しく論じられる強い波長依存性があることから、反射ビームをアウトカップリングし、透過ビームをフィードバックすることが有効であり、そのためこのオプションは以下の考察に基づいている。
【００４０】
まず、このレーザーは、出力変調エレメントを追加することなく作動するべきであり、従って、ＴＦＰでの透過ビームは直接第２の１００％エンドミラーＳ２に入射し、そこで正確に反射して戻され、（有利には損失なく）ＴＦＰを２回通過し、次に活性媒体の中で増強され、このとき、ＴＦＰの位置によって規定されている直線偏光の方向はそのまま維持されている。活性媒体の通過後、ビームは、λ／４移相器とＳ１とから成る組合せに達し、移相器が精密に設定されている場合、ビームは再び直線偏光されるが、入射するビームに対して９０°回転しており、今度は反対方向に再び活性媒体を通過すると考えられる。この点において、従来のレーザーと本発明に基づくレーザーでは次のような大きな違いが生じる：活性媒体を往復する波は、従来型レーザーの場合、一般的には同じ方向に直線偏光されており、従って、完全に干渉可能であり、このことが、周知の軸モード構造の形成につながる。本発明に基づくレーザーでは、両方の波は同様に直線だが、互いに垂直に偏光されているため、干渉がなく、従って軸モード構造は生じない。
【００４１】
材料加工レーザーの場合、軸モード構造は、ほとんど重視されないが、このことは先験的には正当ではない。なぜなら、軸モード構造は共振器の長さと極めて敏感に（μｍ領域）関連しているため、ＣＯ２材料加工レーザーの共振器の長さが比較的大きい場合、軸モード構造を関連したやり方で変更するためには、１０−２℃規模の温度変化ですでに十分である。平均化効果により、このことはほとんど考慮されないが、最大精度が要求される場合には、結果的に、このことからビームの出力変動及び空間方向の変動が生じ得ることは明らかである。軸モードによって、すなわち共振器内の定在波によって引き起こされるもう１つの問題は、いわゆる「空間的ホールバーニング」であり、これは、とくに固体レーザーの場合、レーザーの出力を低下させる。その原因は、λ／２周期によって、０から最大値の間で周期的に変動する定在波の強度であり、このことから、誘導放出による反転分布の照会が不完全になる。軸モード構造のないレーザーでは、この不利な効果は発生しない。
【００４２】
次に、共振器内におけるビームの経路をたどってみたい。ビームが活性媒体を２回通過すると、これまでに想定され、説明された条件下で、実質的に１００％ビームが反射する決定的な効果をもつＴＦＰに再び当たるため、レーザープロセスが停止するフィードバックは決して起こらない。本発明に基づくレーザーの特異性となるこの非常に特殊な状況は、後の第３のオプション、いわゆる「自励発振」において詳しく論じる。 
【００４３】
連続でも、パルスでも、「正常な」レーザー機能に必要なフィードバックを達成するため、本発明に基づくレーザーは、非常に単純であると同時にフレキシブルな、規定のフィードバックを設定することができる。λ／４移相器は、そのビーム軸を中心に回転可能に配置され、この軸は、活性媒体の方向から移相器に入射するビームの軸である。移相器がその「最適な」ポジションに対してどれくらいの大きさで回転するかに応じて、直線ではなく、おおむね強く楕円偏光されたビームがＴＦＰの方向に戻り、その結果、ある程度正確に設定可能な部分がＴＦＰによって透過され、フィードバックされたビームとして使用可能になる。この部分は、一方で、活性媒体の反転分布ができる限り最適に照会される場合、確実なレーザー機能を達成するために必要となる程度の大きさがあるが、他方ではきるだけ小さく維持されるため、本発明に基づく配置の説明した利点は失われないようになっている。すなわち、一方の側は、できるだけ低いビーム強度のフィードバック部分であり、他方の側はレーザーの疑似軸モードフリーモードとなる。
【００４４】
この点において、望ましい作動モード及びレーザーの出力クラスに応じて、レーザー出力とフィードバック率との間には依存関係があることから、妥協が行われなければならない。具体的には連続モードにおいて、最適な出力でレーザーを作動させたい場合、例えば以下に説明するパルス（Ｑスイッチ）モードにおけるよりも高いフィードバック率が必要である。しかし、ここで論じられている、通常の出力範囲が数百から数千Ｗの材料加工用ＣＯ２レーザーでは、ｃｗ出力での損失が比較的少ない場合、５〜２０％のフィードバック率ですでに十分であるため、前述したフィードバック部分におけるできる限り低い強度要求を、ｃｗモードにおいても容易に達成することができる。
【００４５】
２．疑似軸モードフリーＱスイッチレーザー
本発明に基づくＣＯ２レーザーの主な使用領域は、急速出力制御、具体的にはＱスイッチを用いた特定の放射線パルスの生成が要求される用途である。このために必要なエレメントは、低い強度を特徴とするフィードバック部分に配置される。従来のＣＯ２レーザーに比べ、ここでは、１０μｍの波長に使用可能な、通常のすべての変調バリエーションを利用することができ、これらは、とくに、高強度に対して比較的敏感であり、例えば高出力の共振器の中に直接配置した場合、ビーム品質を決定的に悪化させるか、又は破壊されてしまう。以下に、そのような出力制御の次の５つの変更形態を説明する：
電気光学変調器、音響光学変調器、干渉レーザービーム変調器、単純なチョッパーディスク、及び急速振動傾斜ミラー。
【００４６】
ａ）電気光学変調器（ＥＯＭ）の使用
レーザー共振器内部の出力制御に一次電気光学効果（ポッケルス効果）を利用することは、とくに、サブｎｓ領域という極めて短い時間で達成可能な切替時間、すなわちレーザーのＱスイッチに対する非常に良好な適合性、さらに立ち上がり時間又はパルス繰返し周波数などの切替パラメータに関する非常に高いフレキシビリティを特徴とする。可視近赤外線スペクトル領域においては、電気光学スイッチに非常に適した多数の結晶が存在する一方で、このオプションは、ＣＯ２レーザーの波長領域という点で、実質的に市販のＣｄＴｅ変調器だけに限定されている。しかしながら、例えばＺｎＳｅに比べ明らかに不利な光学特性、具体的には比較的高い吸収作用により、この変調器は、強度が比較的低い場合しか使用できない。本発明に基づくレーザーは、この場合、通常のレーザー共振器に比べ、（レーザー出力は同じでも）強度がほぼ１等級低い特殊なフィードバック部分によって有利なオプションを提供する。新しい配置のもう１つの極めて有利な特異性は、ＥＯＭの変調作用のために従来の共振器内に追加的に取り付ける必要のある（アナライザの）偏光感受性エレメントが、本発明に基づく共振器ではＴＦＰの形態ですでに内在していることである。しかし、ＣｄＴｅ-ＥＯＭの断面積は比較的小さく、とくに高出力ＣＯ２レーザーの一般的なビーム断面よりも小さいことから、多くの場合、例えば望遠鏡を用いてビーム径を調整する必要がある。
【００４７】
切替機能もしくは変調機能は、以下のように単純に行われる。ＴＦＰからフィードバック部分に達し、ＴＦＰの入射面に対して直線及び平行に偏光されるビームは、ビーム形成エレメント（望遠鏡）及びゼロ電位のＥＯＭを通過し、１００％ミラーによってフィードバックされ、言及したエレメントが最適に設定されている場合、活性媒体の中に戻るビームは、入射するビームと同じ拡散特性（発散）及び偏光を有しているため、ほぼ最適な共振器機能（横モード構造！）が保障されており、従ってレーザーは最適な出力で作動する。次に、直線偏光ビームから円偏光ビームを作るλ/４電圧をＥＯＭに加えた場合、円偏光ビームは、１００％ミラーでの反射及びＥＯＭの２回目の通過後、再び直線偏光されるが、今回は入射ビームに対して垂直に偏光される。このビームがＴＦＰに達すると、ビーム全体が共振器光路から外へ反射し、吸収体によって吸収されるため、フィードバックはほぼ０になる。放射線の生成は、これによって発生する共振器損失が大きくなって、システムが「レーザー限界値」を下回った瞬間に停止する。このやり方で、フィードバック部分における出力をほぼ１等級上回るレーザー出力に切り替わることを再度強調したい。達成可能な最小のスイッチ時間は、ＥＯＭ自体の特性及びその制御特性、ならびに共振器の長さによって決定され、通常はｎｓ単位にある。
【００４８】
ｂ）音響光学変調器（ＡＯＭ）の使用
音響光学効果に基づく変調器は、ＣＯ２レーザーの場合、一般的にＧｅ結晶から製造される。これらの変調器は、ＣｄＴｅと同じく、例えばレーザー出力の変更など、負荷が変動する場合でも共振器内の光路は影響を受けず、一定でなければならないという要求から生じる許容負荷の点で、著しく制限されている。１００Ｗ／ｃｍ２を超過してはならないであろう。この場合も、本発明に基づくレーザーの原理が解決方法を提供する。ＡＯＭは、ＥＯＭとまったく同じく、自由開口部の中に境界されているため、基本構造は、ａ）で説明した構造と類似しており、従って望遠鏡が使用され、ＥＯＭの位置にＡＯＭがくる。自由なレーザー機能は、通常のケースでは、ゼロ電圧のＡＯＭに対して生じる。レーザーの停止、すなわち限界値を下回るフィードバックの低下は、ＡＯＭの作動によって達成されるため、これを２回通過する場合、その都度多くの放射線がフィードバック部分から外へ偏向し、吸収体によって吸収されることにより、レーザー機能が停止する。実施例では、回折したビームがフィードバックに利用される第２の可能性も説明される。
【００４９】
達成可能なスイッチ時間は、μｓ領域以下にあり、従ってＡＯＭでもＭＨｚ領域の変調周波数を実現することができる。ＡＯＭを使用する利点は、とくに、ＣｄＴｅに比べてＧｅの堅牢性、光学的均質性が高いこと、必要なスイッチ電圧ならびにコストが低いことである。
【００５０】
ｃ）干渉レーザービーム変調器（ＩＬＭ）の使用
この種の変調器は、ファブリー・ペロ干渉計（ＦＰＩ）の原理に基づいており、通常、光学的に有効なエレメントとして２つのＺｎＳｅプレートが装備される。ＺｎＳｅの非常に有利な特性とＣＯ２レーザー技術における幅広い使用範囲とにより、ＩＬＭは、一方で、問題なく共振器内のビーム径に適合できるため、とくに追加の望遠鏡は不要であり、他方では、放射線負荷容量がＣｄＴｅ及びＧｅの場合よりも明らかに高いという利点を提供する。これにより、そのような変調器によって、本発明に基づく構造のマルチｋＷレーザーにも切り替えることができる。
【００５１】
ＩＬＭは可変ビームスプリッタとして働くため、発生するレーザー出力は、実質的に損失なしに透過ビームと反射ビームとに分割され、このとき、分割比は非常にフレキシブルであるが、ｋＨｚ領域内でのみ、該当する制御によって変更することができる。ＩＬＭは数値１の最大透過を達成することから、光路内におけるＩＬＭの配置は（ＥＯＭ及びＡＯＭと同じような箇所に）、それが完全なレーザー機能状態に該当するように行われる。ＩＬＭが、制御電流によって上昇する反射方向に強く合わせられるほど、共振器損失は一層上昇する。というのも、ＩＬＭ軸が共振器軸に対して少し傾斜することによって、反射した部分はフィードバック光路から外へ回折し、吸収体によって消滅してしまうからである。この損失により、レーザー限界値を再度下回ると、レーザー機能は停止する。
【００５２】
このシステム変更形態が一般的に達成可能な切替パラメータもしくはパルスパラメータは、μｓ領域の切替時間及びパルス持続時間、ならびに大きさにして１０４Ｈｚまでのパルス繰返し周波数である。ＩＬＭ型の変調器は、数百Ｗまで負荷をかけることができるため、より大きいｋＷの平均レーザー出力が達成可能である。
【００５３】
ｄ）機械式スイッチの使用
本発明に基づくレーザーのＱスイッチには、単純な機械式スイッチ、具体的には回転するピンホールもしくはスリット開口又は急速振動傾斜ミラーも有利に使用することができる。例えば、フィードバック部分には、精度の高い中間焦点を備えるケプラー望遠鏡を置くことができ、この焦点の位置で、急速回転ピンホールもしくはスリットディスクを用いて、μｓ領域の短い時間で切替えを行うことができる。ディスク上の自由開口部の数及び配置に応じて、また、ディスクの回転速度に応じて、非常に効率的に、使用可能な平均レーザー出力を、最大数十ｋＨｚのパルス繰返し周波数で大幅に出力が上昇する、μｓ領域の一般的なパルス持続時間を有するパルスに変換することができる。ここでも、フィードバック部分における低い放射線強度が有利に作用する：すなわち、出力の強いパルスを生成する場合、回転ディスクの切替エッジは高い強度に晒され、従来型レーザーでは、このことが鋭い切替エッジのアブレーションを発生させ、比較的急な切替エッジの破損につながるおそれがあるが、一方、本発明に基づくレーザーでは、そのことが回避される。
実施例においては、急速振動傾斜ミラーを備えるシステムの変更形態も説明される。
【００５４】
３．自励発振
すでに上記に示したように、本発明に基づくレーザーは、その特殊な供振器構造に基づいて、非常に特殊な作動モード、すなわち自励発振を示す。この新しい効果を、以下に詳細に説明する。自励発振を発生させるには、説明したレーザーに特徴的な２つのエレメント、すなわち共振器の一方の端部のλ／４移相器と他方の端部のＴＦＰとを精密に設定することが基本であり、必要に応じて波長選択エレメントを使用し、移相器及びＴＦＰの仕様に対応した、正確に規定された波長でレーザーが作動するようにしなければならない。「精密な設定」とは、この場合、λ／４移相器（一般的なＰＲＳを想定する場合）の入射レベル及びＴＦＰがちょうど４５°互いに回転していることを意味している。共振器の２つの１００％エンドミラーは、同様に、一般的なやり方で正確に調整しなければならない。
【００５５】
レーザーをオンにした後に生じるプロセスを質的に理解するために、活性媒体の反転分布がほぼ平衡状態に達していると仮定し、始めは自発的に放出されて無作為にレーザー軸方向に正確に進む光量子だけから成る開始放射線ビームが、さらに共振器内に拡散する過程でどのように行動するかを、次に説明する。この効果は、この開始放射線ビームが活性媒体の端部で始まると想定するともっとも分かりやすく、この開始放射線ビームはＴＦＰ部分にあり、活性媒体内部の方向、すなわちλ／４移相器の方向に移動する。そこまでの経路でビームが強化され、この場合、自発的に放出される開始放射線ビームには一般的である非偏光状態が実質的に維持される。ここでは、移相器‐１００％エンドミラー‐移相器という経路部分も変わらないが、それは、ここですべての放射線部分が均等に９０°回転しているからであり、すなわちビームは非偏光のままである。２回目に活性媒体を通過する際にさらに増強された後、ビームはＴＦＰに当たり、そこで、同じ強さの主に２つの部分ビームに分割され、これらの部分ビームは直線偏光だが、互いに垂直に偏光されている。それらのうちの１つはアウトカップリングされ、もう１つはフィードバックされる。フィードバックするビームは、次に、再びλ／４‐移相器の方向に活性媒体を通り抜けるが、その特性は、開始放射線ビームに対して次のように顕著に変更されている：すなわち、第１に、このビームは直線偏光されており、第２に、誘導放出によってすでにかなり高い出力を備えている。共振器を通る２回目の「往復」の際、ビームはさらに増強され（このことは自励発振にとって重要である）、λ／４‐移相器を２回通過する際、偏光方向に９０°回転するため、ＴＦＰに達した時点でビームは完全にアウトカップリングされ、フィードバックは０となる。これにより、誘導放出によるさらなる増強は崩壊し、説明した形で新しいサイクルが始まる前に、レーザーの出力は実質的に０になっている。プロセスの質的説明から明らかなことは、ビームが２回のサイクル、すなわち距離４Ｌ（Ｌは共振器の長さ）を達成したとき、レーザー出力はそれぞれ最大となる。このことから、数式
ｆｉｍｐ＝ｃ／４Ｌ
により、パルス繰返し周波数ｆｉｍｐが生じる。このとき、ｃは光速度である。数メートルの長さの通常の共振器では、パルス繰返し周波数は大きさにして１０ＭＨｚで発生する。ここでの前提条件は、放射線ビームの４回の通過によって活性媒体内では反転分布が縮小するが、サイクルを新たに開始するために、それぞれのレーザーのポンプ速度によって異なる一定の「ポンプ時間」が必要となるほどには強く削減されないことである。反転分布が大きく縮小した場合は、もちろんパルス繰返し周波数も低下する。
【００５６】
つまり、本発明に基づき、新しい特殊な共振器設定と関連付けられる自励発振の効果により、ポンプが連続して作動している場合は、相応の周期的パルス列が生じ、このとき、追加の出力変調エレメントを共振器ビーム経路内に組み込む必要はない。「自励発振放射線」の平均出力は、実質的にレーザーのｃｗ値に該当することも注目に値する。
【００５７】
４．放射線アウトカップリングレーザー  ‐  工作物
急速出力変調の前述した可能性から、本発明に基づくＣＯ２レーザーは、材料加工システムで実際に使用される場合、もう１つの有利なメリットを提供する。
【００５８】
具体的には金属などの高反射材料を加工することが多く、これらの材料は、発生する放射線の大部分を反射又は回折する。この放射線は、焦点調節エレメントによって、大抵は平行に非常に良好にレーザーの方向に戻され、アウトカップリングエレメントによって共振器の中に入り込むことができるため、共振器内部の放射線の生成を著しく阻害し、このことが、ビーム品質の悪化ならびにとくにパルスのピーク出力での出力変動を顕著にする。従って、レーザーと工作物との間で放射線をデカップリングするために、ＡＴＦＲミラー、すなわち偏光依存リフレクタ／吸収体とλ／４移相リターダミラーとの組合せを用いて、一種の「光ダイオード」を作ることが従来技術で一般的に行われており、この光ダイオードは、レーザービームを工作物の方向へ通すが、戻ってくるビーム部分は吸収する。
【００５９】
本発明に基づくＣＯ２レーザーで作業する場合、ＡＴＦＲミラーの作用は、偏光ビームスプリッタの形態でレーザーの中に内在している。すでに説明したように、ビームは直線偏光されてレーザーを離れる。工作物までの往復途中で、ビームがλ／４移相リターダミラーを２回通過する場合、その偏光面は９０°回転するため、ビームは、偏光ビームスプリッタ上に当たると、自動的に共振器光路から外へと方向転換し、吸収体によって吸収されることができる。
【００６０】
すなわち、次の２つの利点が生じる：１つは、ＡＴＦＲミラーのコンポーネントを省略できることであり、もう１つは、消滅するビーム部分は、ＡＴＦＲミラーの場合のように温度感受性コンポーネント自体によって吸収されるのではなく、ビーム経路から望ましい形で外へ方向転換し、適切な吸収体に供給される。
【００６１】
５．外部出力変調
多数のレーザー材料加工作業では、加工プロセス中にレーザー出力を変更する必要がある。ほとんどの場合、これは、レーザープロセス自体への介入によって、とくにポンプへのエネルギー供給を変更することによって行われる。しかし、これによってビーム品質に影響が及び、すなわち取り出された出力によってＫ値が変化し、結果的に加工品質が低下する。この場合、ビーム品質を維持しながら、工作物に適用される出力を広い範囲で変更する外部の変調器が解決方法を提供する。
【００６２】
本発明に基づくレーザーも、最良のビーム品質に関して、選択された特定のパラメータセット、例えばパルス持続時間、パルス繰返し周波数及びパルスピーク出力のために、規定された最適な作動形態が備えられている。従って、レーザー機能自体に影響を及ぼさない外部の変調器によって必要な出力変更を実現することが有利である。
【００６３】
このために、とりわけ２つの効率的な可能性、すなわち音響光学レーザービーム変調器及び干渉レーザービーム変調器が提供され、これらは、それぞれレーザー出口付近に設置することができ、必要に応じて講じられるその他のビーム形成措置、例えば、前述したレーザー‐工作物放射線デカップリングなどが妨害されることはない。
【００６４】
ＡＯＭの場合は、回折されたビームを加工ビームとして利用するのが有利である。というのも、このビームは、出力が０から最大値まで制御できるからである。回折されなかったビーム部分は、吸収体によって消滅させるか、又は例えばレーザー出力のオンラインコントロールのために検出器に送ることができる。必要に応じて、レーザーからくる放射線フィールドを変調器に最適に適合させるため、ビーム形成エレメント（望遠鏡、開口部）を用いることができる。
【００６５】
ＩＬＭは、干渉計プレートの開放径を容易にレーザービームに適合させることができるため、そのような追加エレメントなしに光路内に組み込むことができる。ＺｎＳｅから成るＦＰＩプレートは、一般に加工ビームとして利用される透過光線のビーム品質を悪化させることなく、数百ワットの放射線出力で負荷を加えることができる。利用されない反射部分は、再び、吸収体によって消滅させるか、又はオンラインコントロールで利用することができる。
【００６６】
さらに言及したいのは、レーザーに直接付属するすべてのコンポーネントが、埃、湿気及び気候変動などの外的影響から一般に保護されるように、本発明に基づくレーザー全体をハウジングで囲むことが有利なことである。一般的には、このことは、ハウジング全体が活性媒体と直接接続されていることによって、すなわちコンポーネントがレーザーガスによって囲まれていることによって構造的に解決される。
【００６７】
これにより、コンポーネントの寿命をレーザーの一般的な標準に合わせることができる。
【００６８】
本発明の対象を、次に、図に示されている実施例を用いて説明する。
【図面の簡単な説明】
【００６９】
【図１】本発明に基づくＣＯ２レーザーの概略図である。
【図２】λ／４移相器としてのλ／４移相リターダミラー（ＰＲＳ）の基本構造図である。
【図３】ＺｎＳｅベースの薄膜偏光子（ＴＦＰ）の機序を示す図である。
【図４】ＴＦＰ、アウトカップリングするビームとしての透過ビーム、及びフィードバックするビームとしての反射ビームを備える変更形態である。
【図５】本発明に基づくＣＯ２レーザーの変更形態である。
【図５ａ】ＴＦＰと急速出力変調エレメントとを備える変更形態である。
【図５ｂ】自励発振を実現するための変更形態―第１の共振器サイクルである。
【図５ｃ】自励発振を実現するための変更形態―第２の共振器サイクルである。
【図６】ＥＯＭを用いた急速出力変調のシステム変更形態である。
【図７】ＡＯＭを用いた急速出力変調の２つのシステム変更形態である。
【図７ａ】透過ビームを用いたフィードバックである。
【図７ｂ】回折ビームを用いたフィードバックである。
【図８】ＩＬＭを用いた急速出力変調のシステム変更形態である。
【図９】チョッパーディスクを用いたパルス生成のシステム変更形態である。
【図１０】傾斜ミラーを用いたパルス生成のシステム変更形態である。
【図１１】レーザー‐工作物の放射線デカップリングであり、本発明に基づくＣＯ２レーザーを使用した場合の配置である。
【図１２】レーザービームの外部出力制御の図である。
【図１２ａ】ＩＬＭを用いた変更形態である。
【図１２ｂ】ＡＯＭを用いた変更形態である。
【図１３】共振器のアウトカップリングエンドでの真空気密ハウジングである。
【発明を実施するための形態】
【００７０】
図１は、本発明に基づくＣＯ２レーザーの基本構造の概略図を示している。この場合、まず、とくに活性媒体１に関して、具体的にどのような幾何学的条件があるかは重要ではない。この図は、共振器の両端部が、それぞれ高反射ミラー３及び４によって閉じられることを示している。偏光ビームスプリッタ５により、共振器は、とくに活性媒体１を含む高出力部分と、比較的低い出力を特徴とするフィードバック部分１４とに分割される。この望ましい分割は、偏光ビームスプリッタ５と、共振器のもう一方の端部に取り付けられているλ／４移相器２との相互作用により以下の形で達成される。始めは任意の偏光をもつ放射線６が、活性媒体１の方向から来て、偏光ビームスプリッタ５に当たると、放射線は、互いに垂直に直線偏光される２つの部分に分割され、それらのうち一方は反射し、他方は透過される。図１では、これらのビームは、水平偏光１０をもつアウトカップリングするビーム７、及び垂直偏光９をもつフィードバックするビーム８である。フィードバックするビームは、エンドミラー４で反射した後、再び偏光ビームスプリッタ５を通り、活性媒体１で増強され、λ／４移相器２を通過する。偏光ビームスプリッタ５の特徴軸１３と、λ／４移相器２の特徴軸１２との間の角度ψがどのように設定されたているかに応じて、垂直に直線偏光される入射波の偏光状態を変化させることができる。第１の特殊なケースでは、偏光状態は変化しないままであり、第２の特殊なケースでは円形となり、一般的には楕円形である。波がエンドミラー３で反射し、２回目にλ／４移相器２を通過した後、第２の特殊なケースでは、再び直線偏光された放射線が発生するが、今度は水平偏光をもつ放射線が生じる。一般的なケースでは、この楕円偏光が維持されているが、軸比率の変化を伴っている。この偏光楕円の垂直部分と水平部分との間の関係は、偏光ビームスプリッタ５で行われる出力分割にとって重要であり、最終的には、変調された波が活性媒体１においてさらに増強された後、再びこの偏光ビームスプリッタに到達する。すでに説明したように、本発明に基づくＣＯ２レーザーの主要目的は、垂直偏光９をもつフィードバックビーム８の出力を、レーザーの望ましい機能に悪影響を及ぼすことなく、できるだけ低く維持することである。λ／４移相器２（これが実現されるのが好ましい）又は偏光ビームスプリッタ５又は両方が共振器軸１１を中心に回転可能に配置されている場合、角度ψの該当する設定によって、最適条件を容易に発見することができる。従来のレーザーと比べ、本発明に基づく解決方法のもう１つの明らかな利点は次のことである：従来型レーザーでは、異なる反射率をもつアウトカップリングエレメントを、労力をかけて交換することによりフィードバック率の最適化を行う必要があるが、ここでは、レーザー機能の最適条件を見つけるために、角度ψを簡単に変更すれば十分である。
【００７１】
最適化された比較的低い出力をもつフィードバック部分１４には、具体的には急速出力変調及び／又は波長選択のためのエレメント、ならびにレーザーの高いビーム品質を確保するための適切な空間フィルターなど、ビーム形成１５のためのさまざまなエレメントを組み込むことができる。この配置の特別な利点は、例えば高い機能をもつが、出力レスポンスが大きく、従ってこの出力クラスの従来型レーザーでは有利に使用できないエレメントを、本発明に基づくＣＯ２レーザーでは問題なく利用できることである。
【００７２】
図２には、λ／４移相器２の有利な実際の解決方法、すなわち、λ／４移相リターダミラー（ＰＲＳ）１６の使用が図示されている。このミラーは、ｋＷ領域の高出力にも適している。左の図は、調整可能なエンドミラー３を備えるコンパクトな配置の断面図であり、右の図は、このユニットが共振器軸１１を中心に回転する機序を示している。左の図に示されているように、図の平面は放射線の入射面に対応し、コンポーネントの相対配置は、共振器軸１１とＰＲＳ１６の入射垂線４３との間の角度βと、この入射垂線４３とエンドミラー３の入射垂線４４との間の角度βとが、両方とも４５°となるように選択しなければならない。このユニットに当たる放射線ビームが、入射面において、すなわち左図の平面において直線偏光されていると仮定すると、このビームは、偏光には何の変化もなく両方のミラーで反射するため、ほとんど変化することなく活性媒体の中に戻る。しかし、右図に示されているように、ユニットをこの初期ポジションに対して角度ψだけ回転させると、特殊なケースでは、ＰＲＳ１６での第１の反射後、ψ＝４５°の円偏光放射線が生じ、エンドミラー３での反射後及びそこでの次の第２の反射後には、再び、直線偏光だが、初期の方向に対して垂直に偏光された放射線が生じる。値が０°＜ψ＜４５°の範囲内である場合、楕円偏光放射線が得られる。
【００７３】
本発明に基づくレーザーの重要な特徴は、図示されているユニットによって、活性媒体からくる（例えば図１のように垂直偏光されて）直線偏光放射線が、適切な角度ψの設定により変調され、戻っていく放射線が、垂直偏光成分と平行偏光成分との間で望ましい出力比率を有するようになることである。
【００７４】
偏光ビームスプリッタ５の実際の解決方法として、ＣＯ２レーザーのために、ＺｎＳｅベースの薄膜偏光子（ＴＦＰ）１７が提供される。その作用機序が図３に示されている。特殊コーティングされたＺｎＳｅプレートは、ブリュースター角αＢで光路の中に入れられ、任意の偏光をもつ入射ビームが、入射面で直線偏光される透過ビームと、これに対して垂直に直線偏光される反射ビームとに分割される。これらの両方のビーム部分について、ＴＦＰ１７の反射率の波長への依存が図に示されているように、ＣＯ２レーザーの主要波長が１０．５９μｍの場合、この分割はほぼ完全である。
【００７５】
λ／４移相器２と相互作用することで、ＴＦＰ１７は、本発明に基づき、活性媒体の方向からくるビーム６を、出力の強いアウトカップリングするビーム７（出力ＰＡ）と、比較的出力の弱いフィードバックするビーム８（出力ＰＲ）に分割することが可能となる。材料加工のための実際の高出力ＣＯ２レーザーでは、効率的なフィードバックのために、僅かな割合の入射放射線で足りることが多いため、１０以上の出力比ＰＡ／ＰＲが適用可能であり、従って、フィードバック部分１４の中に組み込むことのできるビーム形成エレメントが受ける放射線負荷は極めて少ない。すでに説明したように、この比率は角度ψによって簡単に設定でき、最適化することができる。
【００７６】
ＴＦＰ１７でのビーム分割には、原則的に２種類がある。反射ビームをアウトカップリングするか、フィードバックに透過ビームを利用するか、又はこの逆である。両方のバリエーションには、とくにＴＦＰ１７の２つの特徴から生じる利点及び欠点がある。第１は、放射線のｐ成分の吸収が、ｓ成分の吸収よりも明らかに高いこと、第２は、図３に示されているように、ｐ成分の反射率が波長に強く左右されることである。
【００７７】
反射ビームをアウトカップリングして、透過光線ビームをフィードバックする場合は、２つの利点がある。第１の利点は、ｓ成分としての強い出力部分が、ＴＦＰ１７のちょうど前面で反射し、最小の吸収損失しか被らないこと、第２の利点として、フィードバックに関与する透過ｐ成分のλ依存性が、さらにレーザーの機能を安定化させる作用を有していることである。特定の欠点は、ｐ成分としてのフィードバックするビームが、すなわち吸収が比較的高い場合に、ＴＦＰ１７を２回通過することで、共振器内部の波面が歪む危険が伴うことである。この問題は、反射する部分がフィードバックされると消滅する。しかし、そのために別の２つの問題が生じる。つまり、ＴＦＰ１７内の「熱レンズ」及びｐ成分の波長依存性によって、集中的にアウトカップリングされたビーム７の発散に大きな影響を与える危険が生じることと、この波長依存性により、望ましくないレーザー線の励起を回避するため、フィードバック部分１４で追加の波長選択が必要となることである。後者のバリエーションは図４に示されており、波長選択エレメントとして回折格子ミラー２５を備えている。
【００７８】
しばしば使用されるバージョンが図５に示されており、この場合は、反射ビームがアウトカップリングされる。図５ａ）は、ビームスプリッタとしてのＴＦＰ１７及びフィードバック部分１４における出力変調エレメント１５、ならびに一般的な偏光状態をもつもっとも重要なケースを示している。直線の垂直偏光９をもつリターン放射線ビーム４３は、第１の通過時にλ／４移相器２で、弱い楕円偏光４６をもつ放射線の中で変形し、エンドミラー３での反射後、第２の通過時に、主な偏光成分が水平である強い楕円偏光４７をもつ放射線の中で変形するため、活性媒体１で増強されたビーム６が、ＴＦＰ１７において、アウトカップリングする、ｓ成分としての強い反射ビーム７と、ｐ成分としての弱い透過ビーム８とに分割される。弱い透過ビームは、ビーム形成エレメント、具体的には出力変調エレメント１５を２回通過し、続いて、さらに出力を損失することなくＴＦＰ１７を通過し、再び直線の垂直偏光９をもつリターン放射線ビーム４３として活性媒体１を通り抜ける。
【００７９】
図５ｂ）及びｃ）は、自励発振の特殊ケースを示している。効果を分かりやすく示すために、図は、第１の共振器サイクル（５ｂ））と第２の共振器サイクル（５ｃ））とに分けられており、これらが合わさって自励発振の１周期となる。図５ｂ）では、取り出された放射線ビーム４５がポイント４４でスタートし、このビームは、始めは自発的に放出される、正確にレーザー軸１１の方向に進む光量子だけから成る。この非偏光（４８）ビームは、活性媒体１の中で増強され、λ／４移相器２を２回通過し、さらに増強された後、最後に、いわゆる非偏光ビーム６として、ＴＦＰ１７に到達する。次に、このＴＦＰは、ビームを、同じ大きさの２つの部分７及び８に分割し、これらのビームは、図示されているようにそれぞれ直線偏光されている。ビーム８がフィードバックされ、ポイント４４に達すると、第１のサイクルは終了する。
【００８０】
次に、直線偏光９を伴う、すでに比較的強くなっているビーム８は、さらに増強された後、λ／４移相器２に達し、この移相器は、ビームが第１の通過後は正確に円偏光４９を有し、次のエンドミラー３での反射及び第２の通過後は再び直接偏光されるが、今度は水平（１０）に偏光されているように設定されている（角度ψによって）。このビームは、さらに増強した後、ＴＦＰ１７に達し、今度は完全に反射され、すなわちアウトカップリングされる。フィードバックは０であり、図示されているプロセスは再び新たにスタートする必要がある。すなわち、自励発振のパルス繰返し周波数は、基本的に、共振器を２回「往復」することによって規定される。アウトカップリングされた放射線ビーム７の正確な時間的出力変化は、レーザーパラメータに複合的に左右され、平衡方程式によって算出されるか、又はもちろん経験的にも調べることができる。
【００８１】
本発明に基づくＣＯ２レーザーの多数の可能なシステム変更形態から特徴的な例が、図６〜１０に示されている。
【００８２】
まず、図６には、ＥＯＭ１８が共振器のフィードバック部分１４に取り付けられる。そのような変調器の使用は、ＣＯ２レーザーの大きな波長にとって問題があり、例えばＣｄＴｅから成る比較的小さく高価な切替結晶を用いる必要があり、これらの切替結晶は高い接触電圧を必要とし、光学パラメータ（放射線負荷容量及び吸収）に関して最適ではない。しかし、その反面、それらの極端に高い切替速度は有利であり、使用する価値がある。従来のＣＯ２レーザーに比べ、本発明に基づくレーザーは、言及した問題を解決する大きな利点を提供する。第１にアウトカップリングするビーム７の平均出力が比較的高い場合も、例えばガリレオ型望遠鏡２２を使用することにより、フィードバックビーム８の直径Ｄを小さな切替結晶１８の自由開口部ｄに適合させることができるように、また、増加した出力密度によって結晶が破壊されるおそれのないように、フィードバック部分１４の出力を大幅に縮小することができる。第２に、ＴＦＰ１７と共に、電気光学結晶による変調の際に必要となる偏光選択エレメントがすでに共振器内に内在して含まれているため、これを追加的に取り付ける必要がない。フィードバックを完全に停止するには、この変調器に４分の１波長電圧を加えて、フィードバックするビーム８の偏光を９０°回転させれば十分であるため、このビームは、リターンの際にＴＦＰ１７によって完全にビーム２８として反射され、吸収体２６によって消滅する。
【００８３】
図７は、同様の配置を示しているが、ＡＯＭ１９が装備されている。切替速度は、とりわけ開放径ｄによって異なることから（ｄが小さい‐切替速度が高い）、これらの変調器はｄ＜１０ｍｍでのみ使用することができ、そのため、ここでも大抵はガリレオ型望遠鏡２２を組み込むことが必要である。音響光学結晶としてＣＯ２レーザーで使用されるゲルマニウムは、同様に、高強度に対し比較的敏感に反応するため、フィードバック部分における低出力は、本発明に基づくレーザーの重要な利点である。
【００８４】
図７は、ＡＯＭを使用する２つの変更形態を示している。図７ａ）ではフィードバックが、すなわちレーザーが作動する状態が、制御信号なしにＡＯＭ１９から直接エンドミラー４の方向に通過するビームを介して行われる。制御信号がある場合、すなわち変調器内に屈折率格子が生成される場合、往復するビームは、制御信号に応じてある程度大きな度合で共振器光路から外へ曲げられる（ビーム２９）。これにより、フィードバック及び結果的にレーザー出力を変調することが可能となる。吸収体２６によって吸収される回折損失が十分に高い場合、レーザーはその限界値に達し、従って完全に停止することができ、より適切なパルス作動が可能である。
【００８５】
図７ｂ）に示されている第２の変更形態では、制御信号が出されたときに変調器によって屈折するビーム２９がフィードバックのために利用される。ここでは、制御信号＝０の場合、フィードバックも０となるため、レーザーが停止することは明らかである。非常に小さいフィードバックですでに励起する、非常に高い増幅率を備えるレーザーも、適切にパルス発振することができる。この配置のもう１つの有利な様態は、その波長選択性であり、これは回折プロセスに内在している。従って、必要に応じて、共振器光路内のもう１つの波長選択エレメントを省略できる。高いビーム品質を確保するため、及びＡＯＭの周縁領域での望ましくない回折効果によって、レーザーの横モード構造に影響を与える可能性を取り除くため、適切な空間フィルターとして、望遠鏡２２と変調器１９との間に特殊開口部５３を置くことができる。
【００８６】
図８は、本発明に基づくＣＯ２レーザーの急速出力制御のためにＩＬＭ２０を使用している図である。図示されている配置では、最適なケースにおいてこの変調器が透過率＝１に設定されており、フィードバックするビーム８がほとんど損失なく通過することができる場合に、レーザーが働く。該当する制御電流を加えると、干渉計プレートの間隔が変化し、ある程度強く反射した放射線部分３０が発生し、これは吸収体２６によって消滅する。Ｔ＝１−Ｒにより、透過部分が同じ程度低下し、従ってフィードバックも低下することで、レーザーの出力を変調又は停止させることができ、これによってパルスモードを実現することができる。
【００８７】
説明した状況は、レーザーが、正確に１つの波長で働いている場合だけ正常に機能する。このために波長選択エレメントを取り付ける必要があり、これが図８では回折格子２５であり、この回折格子は同時にエンドミラー４の代わりにもなる。
【００８８】
ＩＬＭも、高出力に対し比較的敏感に反応するが、それは、高負荷場合、２つの干渉計プレートが、透過される波長面に顕著に影響を受けるためである。結果的に、ここでも、フィードバック部分１４での低い放射線負荷が、重要な要素である。
【００８９】
前述した形態のようにフレキシブルではないが、非常に簡単かつ低コストであるもう１つの変更形態が図９に示されている。制御可能なモータ２４によって駆動され、少なくとも回転数によって簡単に調整可能な急速回転チョッパーディスク２１を用いて、フォードバックするビーム８が周期的にオン／オフになる。特別にスイッチオンプロセスがμs領域でできるだけ迅速に行われ、強い出力上昇によって本来のＱスイッチ効果が生じるようにするため、フィードバックするビーム８は、その元の直径で「チョッピングされる」のではなく、ケプラー型望遠鏡２３の中間焦点の中でチョッピングされる。その他のエレメントは、原則的に必要ない。このシステムにおいてもやはり、フィードバック部分１４における低出力の利点は、望遠鏡内での精密な焦点設定にもかかわらず、非常に出力の強いパルスを生成する場合も切替エッジでの火花が形成されないため、チョッパーディスク２１の寿命を大幅に低下させるおそれのある材料侵食が生じないことにある。
【００９０】
現在の高出力走査システムの発達によって関心が持たれている変更形態を図１０に示す。同時にレンズベースの望遠鏡の代わりにミラーバージョンでどのように代替可能であるかも示すため、ここでは、凹鏡面５０と凸鏡面５１とから成るガリレオ型望遠鏡を使用する。この望遠鏡によって直径を縮小された放射線ビーム８は、エンドミラー４の代わりに使用される傾斜ミラー５２に当たる。この傾斜ミラー５２の急速振動によって、レーザー共振器は、調整状態と非調整状態との間で急速に切り替えられ、このようにして放射線パルスを発生させることができる。達成可能なパルス繰返し周波数は、大きさにして１０４Ｈｚである。このパルス繰返し周波数は、傾斜ミラー５２の質量及び従ってその直径に左右されるため、ビーム径の減少は妥当なことである。ここでも、フィードバック部分１４の低出力は極めて有利である。というのも、ｍｍサイズの非常に小さなミラー直径と、それよって非常に高いパルス繰返し周波数とを、ミラーが破壊される危険なしに利用できるためである。
【００９１】
本発明に基づくＣＯ２レーザーの利点は、レーザー自体の放射線特性だけに限定されない。図１１は、このレーザーを材料加工装置で使用する場合にもたらされる大きな利点を示している。そのような装置の場合、１つには、直線偏光ではなく、円偏光された放射線３６が工作物３３に送られ、他方では、レーザーと工作物との間で放射線デカップリング措置が講じられるのが一般的であり、それによって、例えば、高反射材料からレーザー方向に戻る放射線３７によって、レーザーの放射線形成プロセスが不安定にならないようにしている。従来型装置では、この目的のために、ｓ偏光放射線を反射し、ｐ偏光放射線を吸収するＡＴＦＲミラーと、λ／４移相器３４という２つのコンポーネントを組み合わせて使用する。本発明に基づくＣＯ２レーザーを使用する場合、ＡＴＦＲミラーは省略することができ、それは、このミラーの偏光ビームスプリッタの役割を、図１１では、すなわちＴＦＰ１７が自動的に達成できるからである。つまり、外部のλ／４移相器３４を２回通過した後、工作物３３からくる放射線ビーム３８は直線に、しかしレーザービーム３５に対しては垂直に偏光されており、結果的にＴＦＰ１７を完全に通り抜けるため、共振器光路から排除される。吸収体２６は、この放射線を消滅させる。
【００９２】
実際の材料加工プロセスでは、ほとんどの場合、レーザー出力の変更が必要である。この場合、最適に設定されたレーザー機能自体のパラメータ、とくにレーザービームの品質に影響を与えないためには、外部の出力変調が有利である。図１２は、本発明に基づくＣＯ２レーザーと組み合わせて利用できる２つの可能性を図示している。図１２ａ）には、外部出力変調のためのＩＬＭ５４の使用が示されている。この場合、レーザーからくるビーム３５は、ＩＬＭ５４によって出力が制御されるビームであって、工作物３３に送られる透過ビーム５９と、残りの出力を備える反射ビーム５８とに分割される。この反射ビームは、選択的に吸収体又は放射線検出器であってもよいコンポーネント５５で消滅させられるか、又はオンラインモニタのために利用される。ＩＬＭ使用の利点は、その比較的高い放射線負荷容量であるが、変調速度は１０〜１００μｓの範囲にある通常の時間に制限されている。達成可能な出力の最大‐最小変調範囲は、使用される干渉計プレートに左右される。一般的なＩＬＭモデルは、係数にして１０〜１００のレーザービーム３５の減衰が可能である。
【００９３】
図１２ｂ）に示されているＡＯＭ５７の使用によって、準μｓ領域の非常に高い変調速度が可能になり、一般的には、このＡＯＭの上流に、ビーム形成のための光学エレメント５６、例えばビーム径を適合するための望遠鏡及びビーム品質を確保するための特殊開口部が接続されている。この例では、回折したビームが、出力調整されたビーム５９として工作物３３に送られる。残りのビーム５８は、再び選択的に吸収体／検出器５５内で消滅させられるか、又は測定される。この配置のもう１つの利点は、ビーム５９を任意の強さに、最小では０Ｗにまで減衰できるという事実である。しかし、制御可能な出力は、ＡＯＭモデルに応じて制限されている。
【００９４】
図１３には、本発明に基づくＣＯ２レーザーを実際に実現するために重要となる要素が図示されている。敏感な共振器内部のコンポーネントの長期間安定性を保証するため、すなわち、これらのコンポーネントを、具体的には埃や天候の影響から保護するためは、システム全体を真空密閉したハウジング３１の中に収納するべきであると考えられる。
図１２は、薄膜偏光子１７及びフィードバック部分１４のエレメントを備えるレーザーエンドに対してこのことを示している。アウトカップリングするビーム７は、透光性材料、好ましくはＺｎＳｅから成る窓３２を介してレーザーを離れる。同様に、共振器のもう一方の端部に取り付けられているエレメント、すなわちλ／４移相リターダミラー１６及びエンドミラー３も、ハウジング内に含まれなければならない。
【００９５】
実際には、真空密閉されたハウジング３１全体を、活性媒体１の容積と接続することができる。
【符号の説明】
【００９６】
１            活性媒体
２            λ／４移相器
３            エンドミラー１
４            エンドミラー２
５            偏光ビームスプリッタ
６            偏光ビームスプリッタ５又は１７に当たるビーム
７            アウトカップリングするビーム
８            フィードバックするビーム
９            垂直偏光方向
１０            水平偏光方向
１１            共振器軸
１２            λ／４移相器２の特徴軸
１３            偏光ビームスプリッタ５の特徴軸
１４            共振器のフィードバック部分
１５            ビーム形成エレメント
１６            λ／４移相リターダミラー（ＰＲＳ）
１７            薄膜偏光子（ＴＦＰ）
１８            電気光学変調器（ＥＯＭ）
１９            音響光学変調器（ＡＯＭ）
２０            干渉レーザービーム変調器（ＩＬＭ）
２１            チョッパーディスク
２２            ガリレオ式望遠鏡
２３            ケプラー式望遠鏡
２４            駆動エレメント
２５            反射回折格子
２６            吸収体
２７            ＩＬＭ２０の光学軸
２８            ＥＯＭ１８から偏光方向に９０°回転したビーム
２９            ＡＯＭ１９から偏向したビーム
３０            ＩＬＭ２０から反射したビーム
３１            真空密閉されたハウジング
３２            透光性材料から成る窓
３３            工作物
３４            外部λ／４移相器
３５            レーザーの直線偏光放射線
３６            工作物の方向に進む円偏光放射線
３７            工作物からレーザーの方向に進む円偏光放射線
３８            工作物からきて、λ／４移相器（３４）によって直線偏光された放射線
３９            偏向ミラー
４０            加工ヘッド
４１            ＰＲＳ１６の入射垂線
４２            エンドミラー３の入射垂線
４３            λ／４移相器２の方向に進むビーム
４４            自然放射線のスタート地点
４５            共振器軸１１方向に進む、自然放出される弱いビーム
４６            弱い楕円偏光
４７            強い楕円偏光
４８            非偏光放射線
４９            円偏光
５０            凹鏡面
５１            凸鏡面
５２            傾斜ミラー
５３            特殊開口部
５４            外部に配置されたＩＬＭ
５５            吸収体又は検出器（選択）
５６            外部のビーム形成エレメント
５７            外部ＡＯＭ
５８            排除される放射線部分
５９            出力調整された放射線
ｃ            光速度
ｄ            縮小されたレーザービーム径
Ｄ            レーザービーム径 
ｆｉｍｐ          パルス繰返し周波数
Ｌ            共振器長さ
Ｐ０            分割前の放射線出力
Ｐｐ            平行偏光された放射線部分の出力
Ｐｓ            垂直偏光された放射線部分の出力
ＰＡ            アウトカップリングするビームの出力 
ＰＲ            フィードバックするビームの出力
Ｓ１、Ｓ２        エンドミラー
ＡＯＭ            音響光学変調器
ＡＴＦＲ薄膜反射吸収体
ｃｗ            連続波
ＥＯＭ            電気光学変調器
ＦＰＩ            ファブリー・ペロ干渉計
ＩＬＭ            干渉レーザービーム変調器
ＰＲＳ            λ／４移相リターダミラー
ＴＦＰ            薄膜偏光子
αＢ            ブリュースター角
β            共振器軸とＰＲＳの入射垂線との間の角度
ε            共振器軸に対するＩＬＭ軸の傾斜
λ            波長
ψ            偏光ビームスプリッタの特徴軸とλ／４移相器の特徴軸との間の角度
0006473926.tif 000002
【図１】
0006473926.tif 000003
【図２】
0006473926.tif 000004
【図３】
0006473926.tif 000005
【図４】
0006473926.tif 000006
【図５ａ）】
0006473926.tif 000007
【図５ｂ）】
0006473926.tif 000008
【図５ｃ）】
0006473926.tif 000009
【図６】
0006473926.tif 000010
【図７ａ）】
0006473926.tif 000011
【図７ｂ）】
0006473926.tif 000012
【図８】
0006473926.tif 000013
【図９】
0006473926.tif 000014
【図１０】
0006473926.tif 000015
【図１１】
0006473926.tif 000016
【図１２ａ）】
0006473926.tif 000017
【図１２ｂ）】
0006473926.tif 000018
【図１３】
0006473926.tif 000019